(57)【要約】【課題】簡単な構成で設置時の光源の出射光の角度を補正でき、周囲温度の影響を受け難い航空標識灯を提供することである。【解決手段】光源部１４は光を出射する光源を有し、灯体１５の頂部には光源部１４が取り付けられ、灯体１５の下部は下部台座１２に固定される。可折接手１６は灯体１５と下部台座１２との間に設けられ、一定以上の荷重が加わったとき切断溝２０から折れる。また、可折接手１６が収納される灯体１５内の空洞の内壁には、頂部方向に向けてテーパー部２１が形成され、灯体１５のテーパー部２１に収納される可折接手１６を光源部１４の出射光の角度を調整して調整ネジ２２で支持する。【選択図】  図１
2008103187.tif 000002
【特許請求の範囲】
【請求項１】
光を出射する光源を有した光源部と；
頂部には前記光源部が取り付けられ下部は下部台座に固定される灯体と；
前記灯体と前記下部台座との間に設けられ一定以上の荷重が加わったとき切断溝から折れる可折接手と；
前記可折接手が収納される灯体内の空洞の内壁に頂部方向に向けて形成されたテーパー部と；
前記灯体のテーパー部に収納される前記可折接手を前記光源部の出射光の角度を調整して支持する調整ネジと；
を備えたことを特徴とする航空標識灯。
【請求項２】
前記光源部の光源は発光ダイオードであり、前記灯体内には、前記灯体の頂部方向から下部方向に順番に、前記灯体頂部の光源部を点灯制御する回路、前記光源部に供給する電源を得るための変圧器を配置したことを特徴とする請求項１記載の航空標識灯。
【請求項３】
前記光源部を点灯制御する回路及び前記変圧器は、ぞれぞれの大きさに合わせた収納空間に区切られたユニットボックスに収納されたことを特徴とする請求項２記載の航空標識灯。
【発明の詳細な説明】
【技術分野】
【０００１】
本発明は、空港における滑走路や誘導路の路面上に設置され、灯光により航行を視覚的に援助するための地上型の航空標識灯に関する。
【背景技術】
【０００２】
空港の滑走路や誘導路などには、路幅や路肩の位置を知らせるために標識灯周囲の路面を明るく照らし出す地上型の航空標識灯が設置されている。この航空標識灯は真上だけでなく斜め上や横方向にもある程度の光を照射するような配光特性を有している。
【０００３】
このような全方向出射型の航空標識灯では、設置した際に光源の出射光の鉛直角の所定範囲（例えば±４度）のずれを補正する機能を有することが規格化されている。この出射光の角度を補正する機能は、光源部が取り付けられる灯体と地上に設置される下部台座との間に可折接手及び調整機構を設けて調整するようにしている。
【０００４】
可折接手は、航空機が航空標識灯に接触した際に、航空機に損傷を与えないように、ある一定の荷重で切断溝から折れる機能を持たせたものであり、この可折接手は下部台座にネジで固定され、その可折接手を介して下部台座の上に灯体が取り付けられる。そして、下部台座と灯体との取り付けにおいて、調整機構である調整座及び蝶ネジを使用して、所定範囲のずれを補正している。
【０００５】
ここで、標識灯として、光軸上にピークを持つひと山型の一般的な光特性を備えた発光ダイオードを１個使用して、規定の配光特性（光軸と直交する水平方向を明るく照らし、上方を薄っすらと照らす配光特性）を実現できるようにしたものがある（例えば、特許文献１参照）。
【特許文献１】特開２００６−２４９７１３号公報
【発明の開示】
【発明が解決しようとする課題】
【０００６】
しかし、特許文献１のものでは、標識灯の設置の際に光源の出射光の角度を補正するには、調整機構である調整座及び蝶ネジを使用して補正することになるので、調整機構である調整座が必要となり複雑な構成となってしまう。
【０００７】
地上型の標識灯にハロゲン電球を使用する場合には、下部台座から供給される電源をそのまま使用でき、また、ハロゲン電球は周囲の温度変化による電球特性変化は微小なものであるので、周囲の温度変化を考慮する必要はないが、光源として発光ダイオード（ＬＥＤ）を使用する場合には、ＬＥＤの特性に合わせた電源を得るために変圧器を設ける必要があり、また、ＬＥＤは熱により特性変化が生じるので周囲の温度変化を考慮しなければならない。すなわち、熱により特性変化の生じる光源、例えばＬＥＤを光源として用いた場合には、変圧器から発熱する熱の影響によって光度や色度が変化（低下）するなど不具合がある。
【０００８】
本発明の目的は、簡単な構成で設置時の光源の出射光の角度を補正でき、周囲温度の影響を受け難い航空標識灯を提供することである。
【課題を解決するための手段】
【０００９】
請求項１の発明に係わる航空標識灯は、光を出射する光源を有した光源部と；頂部には前記光源部が取り付けられ下部は下部台座に固定される灯体と；前記灯体と前記下部台座との間に設けられ一定以上の荷重が加わったとき切断溝から折れる可折接手と；前記可折接手が収納される灯体内の空洞の内壁に頂部方向に向けて形成されたテーパー部と；前記灯体のテーパー部に収納される前記可折接手を前記光源部の出射光の角度を調整して支持する調整ネジと；を備えたことを特徴とする。
【００１０】
本発明及び以下の発明において、特に指定しない限り用語の定義及び技術的意味は以下による。
【００１１】
光源部は、光を出射するものであり、少なくとも光源を有し、その光源を包囲して保護するグローブを備えてもよい。光源はハロゲン電球のみならず発光ダイオード（ＬＥＤ）を含む。光源がＬＥＤの場合にはＬＥＤの出射光を制御し全方向に出射するためのレンズを設けることが望ましい。また、ＬＥＤはハロゲン電球に比較して発熱量が少ないので、ハロゲン電球を光源とした航空標識灯より小型化が可能である。
【００１２】
灯体は、例えば円筒形に形成され、頂部に光源部が取り付けられ、地上との所定の高さを保持するとともに、下部は下部台座に固定される。光源部は下部台座に配線された電源線から電源の供給を受ける。
【００１３】
可折接手は、灯体と下部台座との間に設けられ、灯体を下部台座に固定するための中間部材の役割を果たす。例えば、灯体が円筒形に形成される場合には、灯体の空洞に収納されるように円筒形に形成される。そして、可折接手の切断溝とは、予め可折接手に設けられた機械的な弱め部であり、可折接手に一定以上の荷重が加わったときに切断溝が折れるように形成されている。可折接手の一部は灯体内の空洞に収納され灯体に一体的に取り付けられるので、例えば、航空機が灯体に接触し、灯体に一定以上の荷重が加わったときに可折接手の切断溝が折れ、航空機の損傷を最小限に抑制する。
【００１４】
灯体内のテーパー部とは、可折接手が収納される灯体内の空洞の内壁に、灯体の頂部方向に向けて狭くなるように形成された錐体傾斜面である。可折接手が収納される灯体内の空洞は灯体の頂点より下部であるので、錐体傾斜面の上部は開口している。
【００１５】
可折接手が灯体のテーパー部に収納されたときは、テーパー部の上部では可折接手と灯体内の空洞の内壁との間の距離は短く、テーパー部の下部では可折接手と灯体内の空洞の内壁との間の距離は長い。従って、可折接手と灯体との取り付けは、下部ほど自由度があり灯体を揺動させて取付位置を調整する。取付位置の調整が決定すると、調整ネジにて可折接手と灯体とを固定する。
【００１６】
請求項２の発明に係わる航空標識灯は、請求項１の発明において、前記光源部の光源は発光ダイオードであり、前記灯体内には、前記灯体の頂部方向から下部方向に順番に、前記灯体頂部の光源部を点灯制御する回路、前記光源部に供給する電源を得るための変圧器を配置したことを特徴とする。
【００１７】
本発明は、光源として発光ダイオードを用い、点灯制御する回路と変圧器との配置として、発熱体である変圧器を発光ダイオードから遠ざけて配置したものである。
【００１８】
請求項３の発明に係わる航空標識灯は、請求項２の発明において、前記光源部を点灯制御する回路及び前記変圧器は、ぞれぞれの大きさに合わせた収納空間に区切られたユニットボックスに収納されたことを特徴とする。
【００１９】
本発明は、点灯制御する回路及び変圧器をそれぞれの大きさにあった収納空間で区切られたユニットボックスに配置したものである。そして、それぞれの収納空間を防水用の充填剤で充填する。
【発明の効果】
【００２０】
請求項１の発明によれば、可折接手と接触する灯体内部のテーパー部により、可折接手と灯体の揺動の可動幅を増やし調整ネジで灯体と可折接手を固定するので、調整座を必要とすることなく光源の出射光を調整でき、小型化を図ることができる。
【００２１】
請求項２の発明によれば、発熱体である変圧器を発光ダイオードから遠ざけて配置するので、発光ダイオードに対して熱の影響による発光特性の変化を抑制できる。また、変圧器は灯体内で下部に位置することになるので灯体を立てて設置したときの安定性が向上する。
【００２２】
請求項３の発明によれば、点灯制御する回路及び変圧器をユニットボックスをそれぞれの大きさにあった収納空間で区切り配置するので、それぞれの収納空間に充填する防水用の充填剤を無駄に必要とすることがない。
【発明を実施するための最良の形態】
【００２３】
図１は本発明の実施の形態に係わる航空標識灯の断面図である。地上１１には下部台座１２が地面に埋め込まれて配置され、図示省略の電源線が下部台座１２の下方から取り出され、電源線に設けられたコンセントに航空標識灯のプラグ１３が接続される。航空標識灯は、光を出射する光源を有した光源部１４、光源部１４を地上から所定の高さに保持する灯体１５、及び灯体１５を下部台座１２に取り付けるための可折接手１６とを備えている。そして、灯体１５の頂部に光源部１４が取り付けられ、灯体１５の下部に可折接手１６が取り付けられて、可折接手１６を介して下部台座１２に固定されている。
【００２４】
図１では光源部１４の光源として発光ダイオード１７を用いたものを示しており、光源部１５は、光源である発光ダイオード１７、発光ダイオード１７で発光した光を全方向に出射するように制御するレンズ１８、及びこれらを保護するグローブ１９から構成される。
【００２５】
灯体１５は円筒形に形成され、この灯体１５の空洞に円筒形の可折接手１６が収納されて灯体１５を支持する。可折接手１６は下部台座１２に固定されている。すなわち、可折接手１６は灯体１５と下部台座１２との間に設けられ、灯体１５は可折接手１６を介して下部台座１２に固定される。
【００２６】
そして、可折接手１６には予め機械的な弱め部である切断溝２０が設けられ、可折接手１６に一定以上の荷重が加わったときに切断溝２０が折れるように形成されている。これにより、航空機が灯体１５に接触し、灯体１５に一定以上の荷重が加わったときに可折接手１６の切断溝２０が折れ、航空機の損傷を最小限に抑制する。
【００２７】
次に、灯体１５の可折接手１６が収納される灯体１５内の空洞の内壁にはテーパー部２１が形成されている。テーパー部は、錐体傾斜面が灯体１５の頂部方向に向けて狭くなるように形成され、可折接手１６が収納される灯体１５内の空洞は灯体１５の頂点より下部であるので、錐体傾斜面の上部は開口している。
【００２８】
可折接手１６が灯体１５のテーパー部２１に収納されたときは、テーパー部２１の上部では可折接手１６と灯体内の空洞の内壁との間の距離は短く、テーパー部２１の下部では可折接手１６と灯体内の空洞の内壁との間の距離は長くなっている。従って、可折接手１６と灯体１５との取り付けは、下部ほど自由度があり灯体１５を揺動させて取付位置を調整できる範囲が広くなっている。そして、灯体１５の取り付け角度を調整することにより、光源部１４の光源１７の出射光の角度を調整し、調整ネジ２２にて可折接手１６と灯体１５とを固定する。
【００２９】
前述したように、円筒形の灯体１５の内部は空洞となっており、また、可折接手１６の内部も空洞となっている。この空洞内に光源である発光ダイオード１７を点灯制御するための回路２３や光源部１４に供給する電源を得るための変圧器２４を収納する。点灯制御するための回路２３や変圧器２４はユニットボックス２５に収納されて、円筒形の灯体１５の内部の空洞や可折接手１６の内部の空洞に収納される。
【００３０】
図２はユニットボックス２５の平面図、図３はユニットボックス２５の縦断面図である。ユニットボックス２５は、発光ダイオード１７を点灯制御するための回路２３や光源部１４に供給する電源を得るための変圧器２４を収納する空間が仕切板２６で仕切られている。
【００３１】
この場合、図３に示すように、ぞれぞれの収納空間は、収納される点灯制御するための回路２３や変圧器２４の大きさに合わせた収納空間の大きさとする。これにより、それぞれの収納空間に充填する防水用の充填剤が適量となるようにしている。例えば、収納空間が大きく回路部品が少ないと、充填剤が多く必要となるので、図３に示すように、点灯制御回路２３を構成する回路部品の体積に合わせて、収納空間の奥行きを小さく調整しそれらを収納できる適切な容積とする。
【００３２】
また、点灯制御回路２３は光源部１４寄りに配置し、発熱体であり重量物である変圧器２４は上部に配置する。これにより、発熱体である変圧器１４は発光ダイオード１６から遠ざけて配置することになるので、発光ダイオード１６の熱の影響による発光特性の変化を抑制できる。さらに、変圧器１４は灯体１５内で下部に位置することになるので灯体１５を立てて設置したときの安定性が向上する。
【００３３】
本発明の実施の形態によれば、灯体１５の内部にテーパー部２１を設け、可折接手１６がテーパー部２１と接触する部位に自由度を持たせたので、可折接手１６と灯体１５との揺動の可動幅が大きくなり設置ずれを容易に補正できる。調整座を設ける必要がないので小形化ができる。
【００３４】
また、重量があり発熱する変圧器２４と、熱により特性変化の生じる光源である発光ダイオード１７との間に点灯制御するための回路２３を配置し、変圧器２４を灯体２５の下部に配置するようにしたので、光源である発光ダイオード１７への熱の影響を低減するとともに安定性を保持できる。
【図面の簡単な説明】
【００３５】
【図１】本発明の実施の形態に係わる航空標識灯の断面図。
【図２】本発明の実施の形態におけるユニットボックスの平面図。
【図３】本発明の実施の形態におけるユニットボックスの縦断面図。
【符号の説明】
【００３６】
１１…地上、１２…下部台座、１３…プラグ、１４…光源部、１５…灯体、１６…可折接手、１７…発光ダイオード、１８…レンズ、１９…グローブ、２０…切断溝、２１…テーパー部、２２…調整ネジ、２３…回路、２４…変圧器、２５…ユニットボックス、２６…仕切板
【図１】
2008103187.tif 000003
【図２】
2008103187.tif 000004
【図３】
2008103187.tif 000005